(57)【要約】      （修正有）【課題】室内における調湿、消臭、殺菌、抗菌を行うことが可能な多目的ボードを提供する。【解決手段】段ボール、厚紙、発泡スチロール、木、樹脂、金属等の剛性のある素材よりなるボード本体２とボード本体２の一方の面に固着したシート材３を具備し、シート材３は、紙、布、ビニール等の薄いシート状素材よりなるシート本体と、シート本体の一方の面に形成した珪藻土層と、珪藻土層上にチタンアパタイトを塗布することで形成したチタンアパタイト層を具備し、珪藻土層はスクリーン印刷によりシート本体の面に珪藻土を塗布することで形成し、珪藻土層が形成されていない面をボード本体に固着したことを特徴とし、パーテーション、ついたて、間仕切り、照明器具の傘やフード等として用いることで、室内における住環境を良い状態で維持することができる。【選択図】図２
0003206543.tif 000002
【実用新案登録請求の範囲】
【請求項１】
ボード本体（２）と、該ボード本体（２）の少なくとも一方の面に固着したシート材（３）と、を具備した多目的ボードであって、
前記シート材（３）は、
薄いシート状素材よりなるシート本体（５）と、該シート本体（５）の一方の面に形成した珪藻土層（６）と、該珪藻土層（６）上にチタンアパタイトを塗布することにより形成したチタンアパタイト層（７）と、を具備し、前記珪藻土層（６）が形成されていない面を前記ボード本体（５）に固着した、ことを特徴とする多目的ボード。
【請求項２】
前記珪藻土層（６）は、スクリーン印刷により、前記シート本体（５）の面に珪藻土を塗布することで形成したことを特徴とする請求項１に記載の多目的ボード。
【請求項３】
前記シート本体（５）が紙であることを特徴とする請求項１又は請求項２に記載の多目的ボード。
【請求項４】
前記シート本体（５）が布であることを特徴とする請求項１又は請求項２に記載の多目的ボード。
【請求項５】
前記シート本体（５）がビニールであることを特徴とする請求項１又は請求項２に記載の多目的ボード。
【請求項６】
前記ボード本体（２）が段ボール製ボードであることを特徴とする請求項１乃至請求項５のいずれかに記載の多目的ボード。
【請求項７】
前記ボード本体（２）が厚紙性ボードであることを特徴とする請求項１乃至請求項５のいずれかに記載の多目的ボード。
【請求項８】
前記ボード本体（２）が発泡スチロール製ボードであることを特徴とする請求項１乃至請求項５のいずれかに記載の多目的ボード。
【請求項９】
前記ボード本体（２）が木製ボードであることを特徴とする請求項１乃至請求項５のいずれかに記載の多目的ボード。
【請求項１０】
前記ボード本体（２）が樹脂製ボードであることを特徴とする請求項１乃至請求項５のいずれかに記載の多目的ボード。
【請求項１１】
前記ボード本体（２）が金属製ボードであることを特徴とする請求項１乃至請求項５のいずれかに記載の多目的ボード。
【請求項１２】
前記ボード本体（２）の他方の面に接着層を形成したことを特徴とする請求項１乃至請求項１１のいずれかに記載の多目的ボード。
【考案の詳細な説明】
【技術分野】
【０００１】
本考案は、パーテーション、ついたて、間仕切り、あるいは照明器具の傘やフードなどに使用される多目的ボードに係り、より詳しくは、ボード本体の少なくとも一方の面に、珪藻土を塗布することで形成した珪藻土層を具備するとともにこの珪藻土層の上にチタンアパタイト層を具備したシート材を備えたことを特徴とする多目的ボードに関する。
【背景技術】
【０００２】
従来、室内の住環境を好みのものにするため、壁紙、障子紙、ふすま紙あるいはカーテンを、好みの色や模様にして室内装飾を行うことが行われているが、壁紙、障子紙、ふすま紙、カーテンを好みの色や模様に変更したのみでは、精神面でのストレス等を解消することはできるが、健康面を考慮した住環境そのものを向上させることはできない。即ち、室内における住環境を良くするためには、室内における湿度の調節、消臭、殺菌、抗菌が必要であるが、壁紙、障子紙、ふすま紙あるいはカーテンを好みの色や模様に変更したのみでは、室内における湿度の調節や、室内に浮遊する菌、有害物質を除去することは不可能である。
【０００３】
また従来は、室内の住環境を良くするために、空気清浄機を室内に配置したり、観葉植物を室内に置いたりすることが行われていたが、室内に空気清浄機を置いた場合には、フィルタ等の交換やメンテナンスが面倒であるとともに、電気代等の費用も必要となる。また、観葉植物を置いた場合には世話が大変であるばかりか、世話を怠ると逆に、室内が汚れてしまうという問題点も考えられる。
【０００４】
更に、珪藻土、ゼオライト等の調湿建材を用いて壁の下地を形成することで室内の除湿等を行うことも行われているが、この方法では、新築家屋の場合は別だが、それ以外の場合には、壁を施工しなおす必要があるため、施工が大掛かりになってしまうという問題点が考えられる。
【０００５】
この点、本考案者は過去に、珪藻土と光触媒を混ぜ合わせて製造したコーティング材を壁紙本体の一方の面に塗布してコーティング層を形成した壁紙を提案しており、これにより、面倒な施工を行うことなく室内における住環境を良くすることができる効果を得ることが可能となったが、この方法では、壁に貼着する作業が面倒であり、専門業者でなければきれいに貼ることができないという問題点が指摘されていた。
【０００６】
そのために、本考案者は更に、上記のような問題点を解決するため、珪藻土とチタンアパタイトを備えたコーティング層を表面に具備したパネルを考案し、このパネルを壁や天井に係止するのみで壁や天井に備えることで、専門的な技術を必要とすること無く、容易に屋内の住環境を良くすることを可能とした。
【先行技術文献】
【特許文献】
【０００７】
【特許文献１】実用新案登録第３１８６１４２号公報
【特許文献２】実用新案登録第３１９９６５９号公報
【特許文献３】実用新案登録第３１９９６６０号公報
【特許文献４】実用新案登録第３２０２４８０号公報
【特許文献５】実用新案登録第３２０２４８１号公報
【特許文献６】実用新案登録第３２０３１１７号公報
【特許文献７】実用新案登録第３２０３１１８号公報
【考案の概要】
【考案が解決しようとする課題】
【０００８】
ところで、室内環境を好みの装飾にするためには、壁を変更するのみでは不十分であり、その他、パーテーション、ついたて、間仕切り、あるいは照明器具の傘やフードなどを好みの色や模様にすることが好ましく、更にそのとき、室内における調湿、消臭、殺菌、抗菌を行うことが可能であればなお良い、
【０００９】
そこで、本考案は、特に面倒な作業を行うことなく、室内環境を好みの装飾にするとともに、室内における調湿、消臭、殺菌、抗菌を行うことが可能な多目的ボードを提供することを課題としている。
【課題を解決するための手段】
【００１０】
本考案の多目的ボードは、
ボード本体と、該ボード本体の少なくとも一方の面に固着したシート材と、を具備した多目的ボードであって、
前記シート材は、
薄いシート状素材よりなるシート本体と、該シート本体の一方の面に形成した珪藻土層と、該珪藻土層上にチタンアパタイトを塗布することにより形成したチタンアパタイト層と、を具備し、前記珪藻土層が形成されていない面を前記ボード本体に固着した、ことを特徴としている。
【考案の効果】
【００１１】
本考案の多目的ボードでは、ボード本体と、このボード本体の少なくとも一方の面に固着したシート材とを具備しており、シート材は、薄いシート状素材よりなるシート本体と、このシート本体の一方の面に形成した珪藻土層と、この珪藻土層上にチタンアパタイトを塗布することにより形成したチタンアパタイト層を具備し、この珪藻土層が形成されていない面をボード本体に固着して構成されている。
【００１２】
そのため、珪藻土層とチタンアパタイトによるチタンアパタイト層を備えた本考案の多目的ボードでは、珪藻土の有する吸放湿効果、分解消臭効果、抗酸化作用等を得ることができるとともに、チタンアパタイトの作用によって、埃、塵、菌、有害物質を吸着して分解することができるので、この多目的ボードをパーテーション、ついたて、間仕切り、あるいは照明器具の傘やフードなどに使用することで、室内の調湿、消臭等を行うことが可能であるとともに、浮遊している埃、塵、菌、有害物質等を吸着して、これを確実に分解し、室内における住環境を良くすることが可能となる。
【図面の簡単な説明】
【００１３】
【図１】本考案の多目的ボードの実施例の正面図である。
【図２】本考案の多目的ボードの実施例の構造を説明するための断面図である。
【図３】本考案の多目的ボードの実施例に用いるシート材の構造を説明するための断面図である。
【図４】本考案の多目的ボードの実施例における珪藻土層を形成する方法を説明するための図である。
【考案を実施するための形態】
【００１４】
本考案の多目的ボードは、ボード本体を有しており、このボード本体の少なくとも一方の面には、シート材が固着されている。
【００１５】
そして、前記シート材は、薄いシート状素材よりなるシート本体と、このシート本体の一方の面に形成した珪藻土層と、この珪藻土層上にチタンアパタイトを塗布することにより形成したチタンアパタイト層を具備しており、珪藻土層が形成されていない面をボード本体に固着している。
【００１６】
ここで、珪藻土層は、スクリーン印刷により、シート本体の面に珪藻土を塗布することで形成するとよく、これにより、容易かつ均一な膜厚で、珪藻土をシート本体に塗布することが可能である。
【００１７】
また、前記シート本体は、薄いシート状の素材であればいずれでも良いが、例えば、紙、布、あるいはビニールを用いるとよい。
【００１８】
更に、前記ボード本体は、ある程度の剛性を有する素材で構成してあればいずれでも良いが、例えば、段ボール、厚紙、発泡スチロール、木、樹脂、あるいは金属を素材としたボードを用いると良い。
【００１９】
更にまた、ボード本体の一方の面にのみシート材を固着した場合には、ボード本体の他方の面に接着層を形成するとよく、これにより、多目的ボードを好みの箇所に貼着することが可能となる。
【実施例１】
【００２０】
本考案の多目的ボードの実施例について図面を参照して説明すると、図１は、本実施例の多目的ボードの正面図である。また、図２は、本実施例の多目的ボードの構造を示す断面図であり、図１におけるＡ−Ａ線断面構造の一部を拡大して示している。
【００２１】
そして、図において１が本実施例の多目的ボードであり、本実施例の多目的ボード１は、パーテーション、ついたて、間仕切り、あるいは照明器具の傘やフードなどに使用するものとしており、ボード本体と、このボード本体の表裏面に備えたシート材を具備して構成されている。
【００２２】
即ち、図２において２がボード本体であり、本実施例において前記ボード本体は、段ボール、厚紙、発泡スチロール、木、樹脂、金属等で構成されており、ある程度の剛性を有するものとしている。なお、本実施例におけるボード本体２は長方形状としているが、本考案の多目的ボードでは、ボード本体２の形状は特に限定されず、長方形状の他に、正方形状、円形状、三角形状、多角形状等、いずれの形状にしても良い。
【００２３】
次に、図において３はシート材である。即ち、本実施例の多目的ボード１では、前記ボード本体２の表裏面にシート材３を具備している。そして、本実施例においては、接着剤４によって、前記シート材３を前記ボード本体２の表裏面に固着している。なお、接着剤の種類は特に限定されず、エマルジョンタイプの水性糊、でんぷん系接着剤等、シート材３を貼着可能なものであればいずれの接着剤でも良い。
【００２４】
ここで、前記シート材３について図３を参照して説明すると、図３は前記シート材３の構造を示す断面図であり、本実施例において前記シート材３は、シート本体と、このシート本体の一方の面に形成された珪藻土層と、この珪藻土層の上に形成されたチタンアパタイト層とを具備して構成されている。
【００２５】
即ち、図３において５がシート本体であり、本実施例において前記シート本体５は、前記ボード本体２と同じ形状寸法としており、紙、布、あるいはビニール等の樹脂、により構成され、薄いシート状としている。
【００２６】
そして、前記シート本体５の一方の面には珪藻土層６が形成されており、この珪藻土層６が露出するように、珪藻土層６が形成されていない面を前記ボード本体２に固着しており、この珪藻土層６の存在により、室内の調湿、消臭等を行うこととしている。
【００２７】
即ち、珪藻土は８００万年前の植物性プランクトン（珪藻）が化石化したものであり、耐火性を有しているとともに、吸湿機能が大きく自律的に呼吸するために半永久的に調湿機能を発揮することができる。また、生活臭や有害物質を吸着、脱臭する働きがあり、化学物質や悪臭物質を分解することができる。更に、珪藻土は抗酸化作用を有しており、周囲の湿気を「高い抗酸化作用を持つ湿気」に変えて老化や病気の元である活性酸素をほとんど無くすとともに、化学物質や静電気などのプラスイオンを中和、除去し、その結果、人や犬、猫などのペット、植物の健康にとって欠かせない「自然界のマイナスイオン優位の空気」を作り出す。そして、このマイナスイオン優位の空気により、免疫力の向上、生体機能の正常化、リラックス効果などを得ることができる。
【００２８】
従って、珪藻土層６を備えた本実施例の多目的ボード１では、これを、パーテーション、ついたて、間仕切り、あるいは照明器具の傘やフードなどに使用することによって、珪藻土の作用により、室内の調湿、消臭、生活臭や有害物質の吸着分解を行うことが可能であるとともに、自然界のマイナスイオン優位の空気を作り出し、室内の住環境を良いものにすることができる。
【００２９】
ここで、前記珪藻土層６について説明すると、本実施例において前記珪藻土層６は、スクリーン印刷により形成されている。即ち、本実施例において前記珪藻土層６は、珪藻土の粉を水や接着剤で溶いて粘性を持たせたものを、スクリーン印刷によってシート本体５に塗布することで形成している。
【００３０】
この方法について図を参照して説明すると、図４はこのスクリーン印刷の方法を説明するための図であり、図において１０が、スクリーン印刷を行う作業台である。そして、前記作業台１０の上には、ポリエステル等の合成繊維やステンレスなどの金属繊維で織った、珪藻土の粉を水や接着剤で溶いて粘性を持たせたものを通過可能なスクリーン８が可動自在に備えられている。また、スクリーン８の上方には、略円柱形状のローラー９が移動自在に備えられている。
【００３１】
そして、シート本体５に珪藻土層６を形成する際には、前記作業台１０上にシート本体５を固定し、固定したシート本体５の上側に前記スクリーン８を重ね合わせる。そしてその状態で、前記ローラー９に珪藻土を付着させた後に、ローラー９をスクリーン８に当接するとともに、当接させた状態でスクリーン８上を移動する。そしてこれにより、シート本体５に珪藻土を塗布し、珪藻土層６を形成する。このように、本実施例の多目的ボード１では、スクリーン印刷により珪藻土層６を形成しているため、容易かつ均一な膜厚で珪藻土層６を形成することが可能である。
【００３２】
なお、前記ローラー９に珪藻土を付着させる際には、前述したように、珪藻土の粉を水や接着剤で溶いて粘性を持たせたものを用いるとよく、これにより確実にシート本体５に珪藻土層６を形成することが可能である。また、このとき、シート本体５の表面に細かい傷を多数形成して表面を粗くしておくとよく、これにより、珪藻土の接着性を高めることができる。
【００３３】
但し、珪藻土層６は必ずしも、スクリーン印刷で形成する必要は無く、珪藻土の粉を水や接着剤で溶いて粘性を持たせたものを、刷毛等でシート本体５の表面に塗ることで形成してもよい。
【００３４】
次に、図において７はチタンアパタイト層である。即ち、本実施例の多目的ボード１では、前記珪藻土層６の表面にチタンアパタイトを塗布し、これにより珪藻土層６の上にチタンアパタイト層７を形成している。そして、このチタンアパタイト層７の存在により、室内に浮遊する埃、菌、有害物質等の有機物を吸着するとともに確実に分解し、室内の住環境を良いものにしている。
【００３５】
ここで、前記チタンアパタイト層７について説明すると、本実施例において前記チタンアパタイト層７は、前記珪藻土層６上にチタンアパタイトを塗布することで形成している。具体的には、本実施例では、チタンアパタイトを含有したスプレーを用いて、前記珪藻土層６上にチタンアパタイトを吹き付けることによって、前記珪藻土層６上にチタンアパタイトによるコーティング層７を形成している。そしてこれにより、チタンアパタイトの作用により、浮遊している埃、塵、菌、有害物質等の有機物をチタンアパタイト層７に吸着して分解し、室内の住環境を良いものにしている。
【００３６】
即ち、周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つものである。
【００３７】
そのために、チタンアパタイトを塗布することで形成したチタンアパタイト層７を有するシート材３を備えた本実施例の多目的ボードでは、これを、パーテーション、ついたて、間仕切り、あるいは照明器具の傘やフードなどに使用することで、室内等に浮遊している埃、塵、菌、有害物質等の有機物をチタンアパタイト層７に吸着し、このチタンアパタイト層７に吸着した埃、塵、菌、有害物質、花粉等を確実に酸化分解することができ、従って、室内の住環境を良いものにすることができる。
【００３８】
また、チタンアパタイトは光触媒材料であるために紫外線が当たらないと埃等を分解することはできないが、吸着能力が常にあるために、光が無い暗い場所でも埃、塵、菌、有害物質等を吸着し、その後紫外線が当たった時に吸着した埃、塵、菌、有害物質等を分解することができるために、就寝中等においても、常に室内の住環境を良いものにすることができる。なお、前述のチタンアパタイトを含有したスプレーは既に市販されているので、その製造方法等の詳細な説明は省略する。また、必ずしも、スプレーにより前記珪藻土層６の表面にチタンアパタイトを塗布する必要はなく、刷毛等で塗布してもよい。そしてその場合は、チタンアパタイトの粉を水や接着剤で溶いて粘性を持たせた状態にして、この粘性を持たせたチタンアパタイトを、刷毛等で珪藻土層６の表面に塗る方法が考えられる。
【００３９】
なお、前述の説明では、前記ボード本体２の表裏面にシート材３を固着した構成を説明したが、シート材３は必ずしもボード本体２の表裏面に固着する必要はなく、一方の面のみに固着してもよい。そして、シート材３をボード本体２の一方の面のみに固着した場合には、前記ボード本体２の他方の面に接着層を形成してもよく、これにより、接着層の接着力によって、本実施例の多目的ボード１を所望する箇所に貼着して使用することが可能となる。
【００４０】
次に、このように構成される本実施例の多目的ボードの作用について説明すると、本実施例の多目的ボード１は、パーテーション、ついたて、間仕切りに使用したり、照明器具の傘やフードなどに使用したりする。また、室内の壁や戸に係止してもよく、あるいは病院で使用するカルテの素材として使用してもよい。
【００４１】
そうすると、珪藻土層６の効果により、室内の調湿、消臭、生活臭や有害物質の吸着分解を行うことが可能であるとともに、自然界のマイナスイオン優位の空気を作り出し、室内の住環境を良いものにすることができる。
【００４２】
また、チタンアパタイト層７を形成するチタンアパタイトの効果により、浮遊する埃、塵、菌、有害物質等を吸着して分解し、それにより、室内等の住環境を良いものにすることができる。
【００４３】
従って、本実施例の多目的ボードをパーテーション、ついたて、間仕切りに使用したり、照明器具の傘やフード等に使用したりすることで、特に面倒な作業を行うことなく、室内環境を好みの装飾にするとともに、室内の調湿、消臭等を行い、更に、室内を浮遊している埃、塵、菌、有害物質等を吸着して、これを確実に分解し、室内における住環境を良くすることが可能となる。
【００４４】
また、本実施例において前記珪藻土層は、スクリーン印刷により形成しているために、容易に、かつ均一な膜厚で製造することが可能である。
【００４５】
なお、本考案の多目的ボードは、パーテーション、ついたて、間仕切り、照明器具の傘やフード等としての使用に限定されるものではなく、屋内等の住環境を良いものにするために用いることができるボード状の製品の全般に使用することが可能である。
【産業上の利用可能性】
【００４６】
本考案の多目的ボードでは、珪藻土層とチタンアパタイトを塗布することで形成したチタンアパタイト層を有しており、これにより、珪藻土の効果とチタンアパタイトの効果の双方の効果を得ることができるために、屋内等の住環境を良いものにするために用いられるボード状の製品の全般に適用可能である。
【符号の説明】
【００４７】
１    多目的ボード
２    ボード本体
３    シート材
４    接着層
５    シート本体
６    珪藻土層
７    チタンアパタイト層
８    スクリーン
９    ローラー
１０    作業台
【図１】
0003206543.tif 000003
【図２】
0003206543.tif 000004
【図３】
0003206543.tif 000005
【図４】
0003206543.tif 000006